(57)【要約】    【課題】  内視鏡、手術用具等、殺菌を必要とする殺菌対象物が、未洗浄、未殺菌の場合は、殺菌対象物の使用を禁止する禁止措置が行われる様にし、一層の安全性を向上させる。    【解決手段】  非接触通信可能であり、データの書換可能なメモリを備えた記憶手段１５が設けられた殺菌対象物２と、該殺菌対象物を殺菌する殺菌装置３と、前記殺菌対象物が使用される使用対象１とを具備し、前記殺菌装置は前記殺菌対象物を殺菌した場合に前記記憶手段に殺菌済データを書込み、又データを読取る第１の読書き手段１９を有し、前記使用対象は前記記憶手段のデータを読書きする第２の読書き手段８と、該第２の読書き手段により読取ったデータが未殺菌と判断した場合に、前記殺菌対象物が使用対象で使用されない様に禁止措置をする禁止措置実行部６，９，１３とを具備する。    【選択図】          図１
2008054732.tif 000002
【特許請求の範囲】
【請求項１】
非接触通信可能であり、データの書換可能なメモリを備えた記憶手段が設けられた殺菌対象物と、該殺菌対象物を殺菌する殺菌装置と、前記殺菌対象物が使用される使用対象とを具備し、前記殺菌装置は前記殺菌対象物を殺菌した場合に前記記憶手段に殺菌済データを書込み、又データを読取る第１の読書き手段を有し、前記使用対象は前記記憶手段のデータを読書きする第２の読書き手段と、該第２の読書き手段により読取ったデータが未殺菌と判断した場合に、前記殺菌対象物が使用対象で使用されない様に禁止措置をする禁止措置実行部とを具備することを特徴とする殺菌管理システム。
【請求項２】
前記記憶手段はＩＣタグであり、前記第１、第２の読書き手段は、それぞれＩＣタグ・リーダライタである請求項１の殺菌管理システム。
【請求項３】
前記殺菌装置はオゾン発生器を具備し、オゾンにより前記殺菌対象物を殺菌する請求項１の殺菌管理システム。
【請求項４】
前記殺菌対象物は内視鏡であり、前記使用対象は内視鏡装置本体であり、前記殺菌装置は洗浄液を貯溜する洗浄槽、前記洗浄液中にオゾンを発生するオゾン発生器を有し、前記内視鏡は前記洗浄液に浸漬された状態で発生されたオゾンで殺菌される請求項１の殺菌管理システム。
【請求項５】
前記内視鏡装置本体は前記内視鏡が連結されることで、前記第２の読書き手段が前記記憶手段のデータを読取り、前記禁止措置実行部は前記データに基づき前記内視鏡が未殺菌であると判断すると、前記内視鏡装置本体に対し禁止措置を実行する請求項４の殺菌管理システム。
【請求項６】
前記内視鏡装置本体は、前記内視鏡が使用される状況となった時点で、前記記憶手段に未殺菌データを書込む請求項５の殺菌管理システム。
【請求項７】
前記殺菌装置は、前記殺菌対象物を収納する殺菌庫、該殺菌庫にオゾンを発生させるオゾン発生器とを具備し、前記使用対象は出入口に扉を具備する殺菌室であり、前記第２の読書き手段が前記記憶手段のデータを読取り、前記禁止措置実行部は前記データに基づき前記殺菌対象物が未殺菌であると判断すると禁止措置を実行する請求項１の殺菌管理システム。
【請求項８】
前記記憶手段に書込まれるデータは殺菌した日時と関連付けられ、前記第２の読書き手段が前記記憶手段のデータを読取る日時が所定期間を経過している場合は、前記殺菌対象物が未殺菌であると判断し禁止措置を実行する請求項５又は請求項７の殺菌管理システム。
【請求項９】
禁止措置は、表示部に前記殺菌対象物が未殺菌、或は使用不可である旨を表示させる請求項５又は請求項７の殺菌管理システム。
【請求項１０】
禁止措置は、前記内視鏡装置本体の作動を停止させる請求項５の殺菌管理システム。
【請求項１１】
前記扉に開閉装置が設けられ、禁止措置は該開閉装置により前記扉の開放を制限する請求項７の殺菌管理システム。
【請求項１２】
前記殺菌装置、前記使用対象の少なくとも一方は記憶部を有し、該記憶部には前記記憶手段のデータが、該記憶手段のＩＤ番号、殺菌日時、使用日時に関連付けられ記憶され、殺菌管理データとして使用される請求項１の殺菌管理システム。
【請求項１３】
前記殺菌対象物を保管する保管装置と、該保管装置に具備された第３の読書き手段を備え、該第３の読書き手段は洗浄後一定時間経過したことを検知すると前記記憶手段に未洗浄データを書込む請求項１の殺菌管理システム。
【請求項１４】
前記第１の読書き手段が殺菌済データと同時に殺菌日時を前記記憶手段に書込む請求項１の殺菌管理システム。
【請求項１５】
前記第３の読書き手段が一定間隔おきに前記記憶手段の読取りを行い、同一の殺菌対象物が保管され続けているかどうかを判断する請求項１３の殺菌管理システム。
【発明の詳細な説明】
【技術分野】
【０００１】
本発明は、医療機器或は医療関連用品を殺菌し、又殺菌されているか否かを管理し、殺菌されていない医療機器或は医療関連用品が使用されない様に管理する医療機器或は医療関連用品の殺菌管理システムに関するものである。
【背景技術】
【０００２】
医療機器、例えば、患者体内を映像によって観察する内視鏡装置では患者の体内に内視鏡が挿入されるが、内視鏡は使用される毎に洗浄殺菌されなければならない。又、未洗浄の内視鏡が使用されない様に、内視鏡が洗浄済（殺菌済）か、未洗浄（未殺菌）であるかを管理する必要がある。
【０００３】
従来、内視鏡の洗浄処理については、特許文献１に示されるものがある。
【０００４】
特許文献１では、内視鏡や処置具の汚れ具合に対応して自動的に洗浄内容を決定する様にし、作業者の人為的誤操作を防止し、正確に且つ手間なく内視鏡等の洗浄を行う様にしたものである。
【０００５】
然し乍ら、上記した内視鏡管理システムでは、内視鏡を適正に洗浄すること、内視鏡が洗浄されたかどうか、の管理は行われるが、未殺菌、未洗浄の内視鏡が誤って使用されることに対する禁止措置については考慮されてなく、管理者の注意によるものであった。
【０００６】
【特許文献１】特開２００６−５１０７３号公報
【発明の開示】
【発明が解決しようとする課題】
【０００７】
本発明は斯かる実情に鑑み、内視鏡、手術用具等、殺菌を必要とする殺菌対象物が、未洗浄、未殺菌の場合は、殺菌対象物の使用を禁止する禁止措置が行われる様にし、一層の安全性を向上させるものである。
【課題を解決するための手段】
【０００８】
本発明は、非接触通信可能であり、データの書換可能なメモリを備えた記憶手段が設けられた殺菌対象物と、該殺菌対象物を殺菌する殺菌装置と、前記殺菌対象物が使用される使用対象とを具備し、前記殺菌装置は前記殺菌対象物を殺菌した場合に前記記憶手段に殺菌済データを書込み、又データを読取る第１の読書き手段を有し、前記使用対象は前記記憶手段のデータを読書きする第２の読書き手段と、該第２の読書き手段により読取ったデータが未殺菌と判断した場合に、前記殺菌対象物が使用対象で使用されない様に禁止措置をする禁止措置実行部とを具備する殺菌管理システムに係るものである。
【０００９】
又本発明は、前記記憶手段はＩＣタグであり、前記第１、第２の読書き手段は、それぞれＩＣタグリーダライタである殺菌管理システムに係るものである。
【００１０】
又本発明は、前記殺菌装置はオゾン発生器を具備し、オゾンにより前記殺菌対象物を殺菌する殺菌管理システムに係るものである。
【００１１】
又本発明は、前記殺菌対象物は内視鏡であり、前記使用対象は内視鏡装置本体であり、前記殺菌装置は洗浄液を貯溜する洗浄槽、前記洗浄液中にオゾンを発生するオゾン発生器を有し、前記内視鏡は前記洗浄液に浸漬された状態で発生されたオゾンで殺菌される殺菌管理システムに係るものである。
【００１２】
又本発明は、前記内視鏡装置本体は前記内視鏡が連結されることで、前記第２の読書き手段が前記記憶手段のデータを読取り、前記禁止措置実行部は前記データに基づき前記内視鏡が未殺菌であると判断すると、前記内視鏡装置本体に対し禁止措置を実行する殺菌管理システムに係るものである。
【００１３】
又本発明は、前記内視鏡装置本体は、前記内視鏡が使用される状況となった時点で、前記記憶手段に未殺菌データを書込む殺菌管理システムに係るものである。
【００１４】
又本発明は、前記殺菌装置は、前記殺菌対象物を収納する殺菌庫、該殺菌庫にオゾンを発生させるオゾン発生器とを具備し、前記使用対象は出入口に扉を具備する殺菌室であり、前記第２の読書き手段が前記記憶手段のデータを読取り、前記禁止措置実行部は前記データに基づき前記殺菌対象物が未殺菌であると判断すると禁止措置を実行する殺菌管理システムに係るものである。
【００１５】
又本発明は、前記記憶手段に書込まれるデータは殺菌した日時と関連付けられ、前記第２の読書き手段が前記記憶手段のデータを読取る日時が所定期間を経過している場合は、前記殺菌対象物が未殺菌であると判断し禁止措置を実行する殺菌管理システムに係るものである。
【００１６】
又本発明は、禁止措置は、表示部に前記殺菌対象物が未殺菌、或は使用不可である旨を表示させる殺菌管理システムに係り、又禁止措置は、前記内視鏡装置本体の作動を停止させる殺菌管理システムに係るものである。
【００１７】
又本発明は、前記扉に開閉装置が設けられ、禁止措置は該開閉装置により前記扉の開放を制限する殺菌管理システムに係るものである。
【００１８】
又本発明は、前記殺菌装置、前記使用対象の少なくとも一方は記憶部を有し、該記憶部には前記記憶手段のデータが、該記憶手段のＩＤ番号、殺菌日時、使用日時に関連付けられ記憶され、殺菌管理データとして使用される殺菌管理システムに係るものである。
【００１９】
又本発明は、前記殺菌対象物を保管する保管装置と、該保管装置に具備された第３の読書き手段を備え、該第３の読書き手段は洗浄後一定時間経過したことを検知すると前記記憶手段に未洗浄データを書込む殺菌管理システムに係るものである。
【００２０】
又本発明は、前記第１の読書き手段が殺菌済データと同時に殺菌日時を前記記憶手段に書込む殺菌管理システムに係るものである。
【００２１】
更に又本発明は、前記第３の読書き手段が一定間隔おきに前記記憶手段の読取りを行い、同一の殺菌対象物が保管され続けているかどうかを判断する殺菌管理システムに係るものである。
【発明の効果】
【００２２】
本発明によれば、非接触通信可能であり、データの書換可能なメモリを備えた記憶手段が設けられた殺菌対象物と、該殺菌対象物を殺菌する殺菌装置と、前記殺菌対象物が使用される使用対象とを具備し、前記殺菌装置は前記殺菌対象物を殺菌した場合に前記記憶手段に殺菌済データを書込み、又データを読取る第１の読書き手段を有し、前記使用対象は前記記憶手段のデータを読書きする第２の読書き手段と、該第２の読書き手段により読取ったデータが未殺菌と判断した場合に、前記殺菌対象物が使用対象で使用されない様に禁止措置をする禁止措置実行部とを具備するので、未殺菌の殺菌対象物が使用されることが確実に防止され、安全性の向上が図れる。
【００２３】
又本発明によれば、前記殺菌装置はオゾン発生器を具備し、オゾンにより前記殺菌対象物を殺菌するので、高価な洗浄液を必要とせずランニングコストが低下し、又殺菌対象物に合せた洗浄液等の選択が省略され、作業者の過誤による誤った殺菌が防止され、信頼性、安全性が向上する。
【００２４】
又本発明によれば、前記殺菌対象物は内視鏡であり、前記使用対象は内視鏡装置本体であり、前記殺菌装置は洗浄液を貯溜する洗浄槽、前記洗浄液中にオゾンを発生するオゾン発生器を有し、前記内視鏡は前記洗浄液に浸漬された状態で発生されたオゾンで殺菌されるので、高価な洗浄液を必要とせずランニングコストが低下し、又殺菌対象物に合せた洗浄液等の選択が省略され、作業者の過誤による誤った殺菌が防止され、信頼性、安全性が向上する。
【００２５】
又本発明によれば、前記内視鏡装置本体は前記内視鏡が連結されることで、前記第２の読書き手段が前記記憶手段のデータを読取り、前記禁止措置実行部は前記データに基づき前記内視鏡が未殺菌であると判断すると、前記内視鏡装置本体に対し禁止措置を実行するので、内視鏡の使用に必須の工程である前記内視鏡装置本体と前記内視鏡との連結でＩＣタグのデータが読取れ、前記内視鏡の未殺菌、殺菌済の判断の確実性が向上する。
【００２６】
又本発明によれば、前記内視鏡装置本体は、前記内視鏡が使用される状況となった時点で、前記記憶手段に未殺菌データを書込むので、内視鏡による医療行為が途中で中止された場合にも、殺菌無しで再び内視鏡が使用されることがなく、安全性が向上する。
【００２７】
又本発明によれば、前記殺菌装置は、前記殺菌対象物を収納する殺菌庫、該殺菌庫にオゾンを発生させるオゾン発生器とを具備し、前記使用対象は出入口に扉を具備する殺菌室であり、前記第２の読書き手段が前記記憶手段のデータを読取り、前記禁止措置実行部は前記データに基づき前記殺菌対象物が未殺菌であると判断すると禁止措置を実行するので、未殺菌の殺菌対象物が使用されることが確実に防止され、安全性の向上が図れる。
【００２８】
又本発明によれば、前記記憶手段に書込まれるデータは殺菌した日時と関連付けられ、前記第２の読書き手段が前記記憶手段のデータを読取る日時が所定期間を経過している場合は、前記殺菌対象物が未殺菌であると判断し禁止措置を実行するので、殺菌状態が維持されていない殺菌対象物の使用が防止され、安全性が向上する。
【００２９】
又本発明によれば、禁止措置は、表示部に前記殺菌対象物が未殺菌、或は使用不可である旨を表示させるので、殺菌対象物の使用者は容易に使用停止を判断できる。
【００３０】
又本発明によれば、禁止措置は、前記内視鏡装置本体の作動を停止させるので、使用者の過誤による使用についても確実に防止できる。
【００３１】
又本発明によれば、前記扉に開閉装置が設けられ、禁止措置は該開閉装置により前記扉の開放を制限するので、使用者の過誤による使用についても確実に防止できる。
【００３２】
又本発明によれば、前記殺菌装置、前記使用対象の少なくとも一方は記憶部を有し、該記憶部には前記記憶手段のデータが、該記憶手段のＩＤ番号、殺菌日時、使用日時に関連付けられ記憶され、殺菌管理データとして使用されるので、使用対象物の使用状態、殺菌状態の把握が容易となる。
【００３３】
又本発明によれば、前記殺菌対象物を保管する保管装置と、該保管装置に具備された第３の読書き手段を備え、該第３の読書き手段は洗浄後一定時間経過したことを検知すると前記記憶手段に未洗浄データを書込むので、洗浄効果が失われた殺菌対象物が使用に供されることがなく安全である。
【００３４】
又本発明によれば、前記第１の読書き手段が殺菌済データと同時に殺菌日時を前記記憶手段に書込むので、殺菌対象物の期限管理が容易となる。
【００３５】
更に又本発明によれば、前記第３の読書き手段が一定間隔おきに前記記憶手段の読取りを行い、同一の殺菌対象物が保管され続けているかどうかを判断するので、殺菌対象物の保管状態が把握でき、安全性の向上が図れる等の優れた効果を発揮する。
【発明を実施するための最良の形態】
【００３６】
以下、図面を参照しつつ本発明を実施する為の最良の形態を説明する。
【００３７】
先ず、図１に於いて本発明の第１の実施の形態について説明する。
【００３８】
該第１の実施の形態は、本発明が医療機器、例えば内視鏡装置、内視鏡洗浄装置に対して実施された医療機器殺菌管理システムに係るものである。
【００３９】
図１中、１は内視鏡の使用対象である内視鏡装置本体、２は殺菌対象物である内視鏡（スコープ）、３は内視鏡洗浄装置を示している。
【００４０】
前記内視鏡装置本体１は制御部４、操作部５、モニタ６、コネクタ等の本体連結部７、該本体連結部７の近くに設けられた読書き手段、例えばＩＣタグ・リーダライタ８を具備し、又前記制御部４はＣＰＵで代表される演算部９、入出力制御部１１、記憶部１２、電源部１３等を具備する構成となっている。
【００４１】
前記記憶部１２には、前記内視鏡装置本体１を作動・制御する為のシーケンスプログラム、前記内視鏡２のＩＤ番号を確認し、該内視鏡２の洗浄状態の確認・記録、使用、洗浄の履歴を確認・記録する為の管理プログラム、洗浄した日時から所定時間、期間以上経過していないかを判断し、所定の禁止措置を講じるか否かを判断する判断プログラム、前記ＩＣタグ・リーダライタ８を作動させる為のリーダライタ制御プログラムが格納され、又前記記憶部１２には、前記内視鏡２の洗浄状態の確認・記録、使用、洗浄の履歴をＩＤ番号、洗浄日時に関連付けて格納するデータ格納部を有している。前記電源部１３は前記内視鏡装置本体１を動作させる為の電力、前記モニタ６を表示させる為の電力を供給し、前記電源部１３は前記演算部９によって制御される様になっている。
【００４２】
前記内視鏡２は前記本体連結部７と連結可能なコネクタ等の内視鏡連結部１４を具備し、該内視鏡連結部１４を前記本体連結部７に連結することで、前記内視鏡２と前記内視鏡装置本体１とが連結され、前記内視鏡２を作動させる為の電力の供給、該内視鏡２で撮像した映像信号が前記内視鏡装置本体１に送信可能となる。
【００４３】
前記内視鏡連結部１４の近傍には非接触で通信可能であり、データを書換え可能なメモリを有する記憶手段、例えばＩＣタグ１５が設けられ、該ＩＣタグ１５は書換え不能なＩＤデータを有していると共に洗浄剤を識別する為のデータ、未洗浄を識別する為のデータ、即ち洗浄、未洗浄の識別データが書込み可能であり、前記ＩＤデータ、洗浄、未洗浄のデータは前記内視鏡連結部１４を前記本体連結部７に連結することで、前記ＩＣタグ・リーダライタ８によって読取られ、又前記本体連結部７に連結することで、未洗浄のデータが書込まれる様になっている。
【００４４】
前記演算部９、前記モニタ６、前記電源部１３等は、禁止措置実行部（後述）を構成する。
【００４５】
前記内視鏡洗浄装置３について説明する。
【００４６】
該内視鏡洗浄装置３はオゾン発生器１６を具備し、洗浄液２４が貯溜される洗浄槽１７、前記オゾン発生器１６を駆動制御する制御部１８、前記洗浄槽１７又は該洗浄槽１７の近傍に設けられたＩＣタグ・リーダライタ１９、前記洗浄液２４の汚れ、オゾン濃度等洗浄状態を検知する検知器２３から構成され、前記制御部１８はオゾン発生器駆動部２０、演算部２１、記憶部２２等を具備する。
【００４７】
前記演算部２１はＣＰＵで代表され、前記オゾン発生器駆動部２０を介して前記オゾン発生器１６を制御等し、前記オゾン発生器駆動部２０は前記オゾン発生器１６を駆動制御すると共に該オゾン発生器１６の作動状態を前記演算部２１にフィードバックする。又、該演算部２１には前記検知器２３からの洗浄状態がフィードバックされる。
【００４８】
前記記憶部２２には、前記演算部２１、前記内視鏡洗浄装置３を動作、制御する為のシーケンスプログラム、前記内視鏡２のＩＤ番号を確認し、該内視鏡２の洗浄状態が正常に実行されたかどうかを記録し、該内視鏡２の洗浄の履歴を記録する為の洗浄管理プログラム、前記ＩＣタグ・リーダライタ１９を作動させ、該ＩＣタグ・リーダライタ１９の情報を読出し、又洗浄済等のデータを書込む為のリーダライタ制御プログラム、更に前記ＩＣタグ・リーダライタ１９が前記ＩＣタグ１５から読込んだ情報に基づき前記内視鏡２が洗浄済であるか、未洗浄であるかを判断する判断プログラム、又前記オゾン発生器駆動部２０及び前記検知器２３からのフィードバック信号に基づき洗浄が正常に完了したがどうかを判断し、更にフィードバック信号に基づき洗浄に異常、例えば洗浄液の汚れが規定値以上であった場合、オゾン濃度が不足していた場合等は、洗浄を停止させる判断をする等洗浄監視プログラム等が格納されている。
【００４９】
又前記記憶部２２は、前記内視鏡２のＩＤ番号を確認し、該内視鏡２の洗浄状態が実行されたかどうか、洗浄した日時を記録し、該内視鏡２の洗浄の履歴を記録する為の洗浄管理プログラム、又前記内視鏡２の洗浄の履歴をＩＤ番号、洗浄日時に関連付けて格納するデータ格納部を有している。
【００５０】
又、該データ格納部に記録されたデータは、前記入出力制御部１１を介して、プリンタ等の出力手段により出力することが可能となっている。又、前記データ格納部に記録されたデータは、ＩＤ番号、殺菌した日時、使用日時が関連付けられて記憶され、殺菌管理情報としての使用が可能である。
【００５１】
前記記憶部１２が格納するデータ、前記記憶部２２が格納するデータはそれぞれ、ＦＤ、メモリカード等の可搬記憶媒体に書出し可能となっており、ＩｒＤＡ、Ｂｌｕｅｔｏｏｔｈ等の無線通信手段で、或はＬＡＮ等のネットワークを介して前記内視鏡装置本体１と前記内視鏡洗浄装置３間でデータの送受信が可能となっており、前記内視鏡装置本体１が保有する前記内視鏡２に関するデータと、前記内視鏡洗浄装置３が保有する前記内視鏡２に関するデータとの照合が可能となっている。
【００５２】
尚、前記内視鏡２に関するデータとの照合が不要の場合は、前記記憶部２２は省略してもよい。
【００５３】
以下、図２、図３を参照して医療機器殺菌管理システムの作用について説明する。
【００５４】
先ず、図２に於いて、前記内視鏡洗浄装置３の作用について説明する。
【００５５】
ＳＴＥＰ：０１  前記洗浄槽１７には前記洗浄液２４、例えば水が貯溜されており、前記洗浄槽１７内に前記内視鏡２が投入される。
【００５６】
ＳＴＥＰ：０２  図示しない操作部より、前記内視鏡洗浄装置３を駆動して洗浄を開始する。洗浄開始により、前記演算部２１により前記オゾン発生器駆動部２０を介して前記オゾン発生器１６が駆動され、前記洗浄液２４中にオゾンが発生される。前記オゾン発生器駆動部２０は、前記オゾン発生器１６に供給する電力等を制御することで、該オゾン発生器１６からのオゾンの発生量が制御される。
【００５７】
ＳＴＥＰ：０３  前記検知器２３からは、前記洗浄液２４のオゾン濃度、汚れ状態が検知され、検知結果は前記演算部２１に送出される。洗浄監視プログラムが展開され、前記演算部２１では、前記検知器２３からの検知信号を基に、検出されたオゾン濃度が規定値以上、即ち殺菌に必要な濃度以上であるかどうか、前記洗浄液２４の汚れが規定値以下であるかどうかを判断し、オゾン濃度が規定値以下、又は前記洗浄液２４の汚れが規定値以上であった場合は、エラー信号を発する。
【００５８】
ＳＴＥＰ：０４  エラー信号の発生により、前記オゾン発生器１６が停止され、更に図示しない表示部には、装置が異常である、或は点検が必要である等の表示がなされ、或は異常停止を告知する為の警告音の発生、異常灯の点滅等が行われる。
【００５９】
ＳＴＥＰ：０５  検出されたオゾン濃度が規定値以上、前記洗浄液２４の汚れが規定値以下の場合は、運転が続行され、洗浄、殺菌が所定時間行われる。尚、洗浄、殺菌が所定時間行われなかった場合には、やはり異常と判断され、ＳＴＥＰ：０４が実行される。
【００６０】
ＳＴＥＰ：０６  運転が正常に終了すると、前記ＩＣタグ１５に、洗浄日時と共に「内視鏡状態＝洗浄済」が書込まれる。
【００６１】
洗浄済の前記内視鏡２は、使用に起用されるか、或は無菌状態が維持される様保管される。
【００６２】
次に、図３に於いて、前記内視鏡装置本体１の作用について説明する。
【００６３】
ＳＴＥＰ：１０  前記内視鏡連結部１４を前記本体連結部７に連結して前記内視鏡２を前記内視鏡装置本体１に連結する。
【００６４】
ＳＴＥＰ：１１  前記内視鏡装置本体１の電源を投入する。前記ＩＣタグ・リーダライタ８を作動させる為のリーダライタ制御プログラムが起動される。
【００６５】
ＳＴＥＰ：１２  前記ＩＣタグ・リーダライタ８により前記ＩＣタグ１５に書込まれた情報が読取られる。読取られた情報は、例えば前記内視鏡２を識別するＩＤ番号、内視鏡状態（洗浄済、未洗浄）、洗浄された日時である。
【００６６】
ＳＴＥＰ：１３  前記内視鏡２の使用、洗浄の履歴を確認・記録する為の管理プログラムが展開され、前記読取られた情報に基づき、前記内視鏡２が洗浄済か、未洗浄かが判断される。該内視鏡２のＩＤ番号を確認し、該内視鏡２の洗浄状態の確認・記録がされる。
【００６７】
ＳＴＥＰ：１４  未洗浄と判断された場合は、殺菌対象物、即ち前記内視鏡２の使用を禁止する禁止措置が実行される。禁止措置としては、例えば、前記モニタ６に未洗浄である旨、或は使用を禁止する旨の表示をする。尚、洗浄した日時が、規定期限を過ぎている場合でも、安全を考慮し、未洗浄と判断してもよい。
【００６８】
ＳＴＥＰ：１５  未洗浄と判断された場合、以降の前記操作部５からの操作指令を無効として、前記内視鏡装置本体１の操作が行われない様にする。或は、前記内視鏡装置本体１の電源を切断（シャットダウン）する。而して、前記モニタ６、前記演算部９、前記電源部１３等は、未洗浄の内視鏡２の使用を禁止する禁止措置実行部を構成する。
【００６９】
ＳＴＥＰ：１６  内視鏡の洗浄済が確認されると、前記シーケンスプログラム等作動に必要なプログラムが展開され、前記内視鏡装置本体１が通常通り起動される。
【００７０】
ＳＴＥＰ：１７  前記内視鏡装置本体１が起動完了した時点で、前記ＩＣタグ・リーダライタ８により前記ＩＣタグ１５に、日時と共に「内視鏡＝使用済」が書込まれる。又、前記ＩＣタグ１５の読取りデータ、前記ＩＣタグ１５に書込んだデータ等は、ＩＤ番号、日時に関連付けられて前記記憶部１２に記録される。後述する医療行為についても、医療行為の内容、実施状態が前記ＩＤ番号に関連付けられて前記記憶部１２に記録される。
【００７１】
前記内視鏡２を前記内視鏡装置本体１に連結したが、医療行為が行われなかった場合、或は患者のカルテ情報が前記内視鏡装置本体１に読込まれたが実際の医療行為は行われなかった場合、医療行為が行われなかった実施状態は前記記憶部１２に記録され、再度前記内視鏡装置本体１に電源が投入された場合に、前記ＩＣタグ１５のＩＤ番号と前記医療行為の実施状態が照合され、前記内視鏡２の洗浄、未洗浄の判断がスキップされる等されてもよい。尚、安全を考慮し、一度前記内視鏡装置本体１に連結したものは、医療行為が行われた、医療行為が行われなかったの如何に拘らず、「内視鏡＝未洗浄」としてもよい。
【００７２】
更に、前記医療行為が実施された後は、途中、終了の如何に拘らず、前記ＩＣタグ１５の書込みは「内視鏡＝未洗浄」で固定され、前記内視鏡装置本体１での判断も、「内視鏡＝未洗浄」とされる。
【００７３】
ＳＴＥＰ：１８  前記内視鏡２が用いられた、検査、治療が実施される。尚、使用済の前記内視鏡２は前記内視鏡洗浄装置３で洗浄され、繰返し使用される。
【００７４】
尚、前記記憶部１２に記録された、前記内視鏡２の使用履歴と前記記憶部２２に記録された洗浄記録とをＩＤ番号を基に参照して、データの整合性を確認してもよい。
【００７５】
図４は、本発明の第２の実施の形態を示し、該第２の実施の形態では本発明が医療関連用品、例えば白衣の殺菌に実施された場合を示している。
【００７６】
図中、２５は殺菌装置、２６は開閉装置、２７は殺菌対象物、例えば白衣を示しており、該殺菌対象物の所要位置、例えば前記白衣２７の襟等にＩＣタグ１５が縫込まれている。該ＩＣタグ１５には書換え不能なＩＤデータ、書換え可能な殺菌済、未殺菌等のデータが記録される様になっている。
【００７７】
前記殺菌装置２５は収納可能な殺菌庫２８を有し、該殺菌庫２８には複数の殺菌対象物を収納、例えば前記白衣２７であれば、複数枚を吊下げ可能となっている。尚、前記殺菌庫２８は密閉構造、又は略密閉構造となっていることが好ましい。
【００７８】
前記殺菌庫２８の所要位置、例えば底部にオゾン発生器２９が設けられ、又前記殺菌庫２８の所要位置、例えば天井部にＩＣタグ・リーダライタ３１が設けられ、前記殺菌庫２８の所要位置、例えば壁面にはオゾン濃度を検出する検知器２３が設けられている。
【００７９】
前記オゾン発生器２９、前記ＩＣタグ・リーダライタ３１の作動は、制御部３２によって制御され、前記検知器２３は前記殺菌庫２８内のオゾン濃度を検出し、検出結果を前記制御部３２に送出する様になっている。
【００８０】
該制御部３２は、ＣＰＵで代表される演算部３３、前記オゾン発生器２９を駆動制御し、該オゾン発生器２９の作動状態を前記演算部３３にフィードバックする駆動部３４、プログラム、データを格納する記憶部３５等から主に構成される。
【００８１】
該記憶部３５には、前記殺菌装置２５を動作、制御する為のシーケンスプログラム、殺菌が正常に行われたかどうかを判断する判断プログラム、前記白衣２７のＩＤ番号を確認し、該白衣２７の殺菌が正常に実行されたかどうかを記録し、前記殺菌の履歴を記録する為の殺菌管理プログラム、前記ＩＣタグ・リーダライタ３１を作動させ、該ＩＣタグ・リーダライタ３１の情報を読出し、又洗浄済等のデータを書込む為のリーダライタ制御プログラムが格納される。又前記記憶部３５は、前記前記白衣２７の殺菌の履歴をＩＤ番号、殺菌した日時に関連付けて格納するデータ格納部を有している。
【００８２】
殺菌済の白衣の着用が義務づけられている部屋（殺菌室３７）、即ち、前記白衣２７の使用対象である殺菌室３７には、出入口に前記開閉装置２６が設けられる。
【００８３】
該開閉装置２６は、開口部を開閉する扉３８、該扉３８を開閉する為の開閉機構部３９、該開閉機構部３９の開閉を制御する演算制御部４１、ＩＣタグ・リーダライタ４２、表示部４３、又前記扉３８を開閉する為の開閉釦４４等を具備している。尚、該開閉釦４４は、人感センサとしてもよい。
【００８４】
前記ＩＣタグ・リーダライタ４２は、前記ＩＣタグ１５に書込まれた前記白衣２７の「殺菌済、未殺菌」のデータを読出し、又前記ＩＣタグ１５に「未殺菌」のデータを書込みが可能となっている。又、前記演算制御部４１は、ＣＰＵと、前記開閉機構部３９を作動させる為のシーケンスプログラム、リーダライタの制御プログラム等のプログラムが格納された記憶部等を具備し、前演算制御部４１は前記ＩＣタグ１５から読取ったデータに基づき前記開閉機構部３９の開閉を制御し、又前記表示部４３に読取ったデータに対応した表示をさせる様になっている。
【００８５】
先ず、前記殺菌装置２５の作用について、図５を参照して説明する。
【００８６】
ＳＴＥＰ：２０  前記ＩＣタグ１５が付けられた前記白衣２７を前記殺菌庫２８に所要枚数投入する。該殺菌庫２８の扉（図示しない）を閉じることで、前記白衣２７の殺菌が可能となる。
【００８７】
ＳＴＥＰ：２１  図示しない操作部から殺菌の開始を指示することで、前記白衣２７の殺菌が開始される。前記演算部３３は前記駆動部３４を介して前記オゾン発生器２９を駆動制御する。前記駆動部３４は、前記オゾン発生器２９に供給する電力等を制御することで、該オゾン発生器２９からのオゾンの発生量が制御される。又、前記オゾン発生器２９の駆動状態は前記駆動部３４から前記演算部３３にフィードバックされる。
【００８８】
ＳＴＥＰ：２２  前記殺菌庫２８中にオゾンが発生され、オゾン濃度が規定値なった時点から所定時間殺菌が行われる。前記殺菌庫２８のオゾン濃度は前記検知器２３によって検出され、検出結果は前記演算部３３にフィードバックされる。
【００８９】
該演算部３３では、前記検知器２３からの検知信号を基に、検出されたオゾン濃度が規定値以上、即ち殺菌に必要な濃度以上であるかどうかを判断し、オゾン濃度が規定値以下であった場合は、エラー信号を発する。
【００９０】
ＳＴＥＰ：２３  エラー信号の発生により、前記オゾン発生器２９が停止され、更に図示しない表示部には、装置が異常である、或は点検が必要である等の表示がなされ、或は異常停止を告知する為の警告音の発生、異常灯の点滅等が行われる。
【００９１】
ＳＴＥＰ：２４  検出されたオゾン濃度が規定値以上の場合は、運転が続行され、殺菌が所定時間行われる。尚、殺菌が所定時間行われなかった場合には、やはり異常と判断され、ＳＴＥＰ：２３が実行される。
【００９２】
ＳＴＥＰ：２５  オゾン濃度が規定値以上で所定時間経過し、殺菌が正常に終了すると、前記演算部３３は前記ＩＣタグ１５に、殺菌日時と共に「状態＝殺菌済」が書込まれる。
【００９３】
次に、図６を参照して、前記開閉装置２６の作用について説明する。
【００９４】
ＳＴＥＰ：３０  前記白衣２７を着用した者が、前記殺菌室３７に入室すべく前記開閉釦４４を操作する。
【００９５】
ＳＴＥＰ：３１  該開閉釦４４の操作と連動して前記ＩＣタグ・リーダライタ４２が駆動され、前記白衣２７の前記ＩＣタグ１５のデータを読取る。
【００９６】
ＳＴＥＰ：３２  前記ＩＣタグ・リーダライタ４２で読取られたデータは、前記演算制御部４１に送信され、該演算制御部４１でデータの内容が「状態＝殺菌済」又は「状態＝殺菌済でない（以下未殺菌と表す）」かが判別される。
【００９７】
ＳＴＥＰ：３３  前記演算制御部４１により判別した内容が「状態＝未殺菌」であった場合は、前記開閉機構部３９がロックされる。前記扉３８が自動扉で前記開閉機構部３９が自動開閉機であった場合、前記扉３８が開放しない。又該扉３８が、手動の開閉扉であった場合は、前記開閉機構部３９は施錠装置であり、施錠状態が開放されない。尚、「状態＝殺菌済」であっても、殺菌した日時が、規定期限を過ぎている場合も、安全を考慮し、未殺菌と判断してもよい。
【００９８】
又、前記ＩＣタグ・リーダライタ４２がデータを読取れない場合は、前記白衣２７の着用がないと判断され、やはり前記扉３８は開放されず、或は、施錠が解除されない。更に前記ＩＣタグ１５を取付けていない衣服が着用されている場合も、同様に前記扉３８は開放されず、或は施錠が解除されない。
【００９９】
更に、前記開閉機構部３９がロックされると共に前記表示部４３に「入室禁止」等の表示がなされる。
【０１００】
而して、前記開閉機構部３９、前記演算制御部４１、前記表示部４３等は、前記殺菌室３７での未殺菌白衣２７の使用を禁止する禁止措置実行部を構成する。
【０１０１】
ＳＴＥＰ：３４，ＳＴＥＰ：３５  前記演算制御部４１により判別した前記ＩＣタグ１５のデータが「状態＝殺菌済」であった場合は、前記開閉機構部３９のロック状態が解除され、前記開閉機構部３９により前記扉３８が開放され、或は該扉３８の施錠が解除され入室が可能となる。
【０１０２】
次に、前記殺菌室３７から退室する場合の作用について図７を参照して説明する。
【０１０３】
ＳＴＥＰ：４０，ＳＴＥＰ：４１  殺菌済の前記白衣２７を着用して、前記殺菌室３７に入室し、室内で所要の作業、例えば手術、を実施する。
【０１０４】
ＳＴＥＰ：４２  作業終了後退室する際、前記ＩＣタグ・リーダライタ４２により前記ＩＣタグ１５に「状態＝未殺菌」が書込まれる。
【０１０５】
尚、前記ＩＣタグ１５への「状態＝未殺菌」の書込みは、入室時「状態＝殺菌済」の判断がされ、前記扉３８が開放され、作業者が入室した時点で前記ＩＣタグ１５に「状態＝未殺菌」と書込む様にし、前記演算制御部４１は退室時に前記ＩＣタグ１５に「状態＝未殺菌」が書込まれていることを確認する様にしてもよい。
【０１０６】
ＳＴＥＰ：４３  前記殺菌室３７から退室すると、前記白衣２７の前記ＩＣタグ１５には、「状態＝未殺菌」が書込まれており、前記殺菌装置２５により前記白衣２７が殺菌されないと前記殺菌室３７への入室は拒否される。
【０１０７】
尚、上記実施の形態では殺菌対象物として、例えば白衣２７を示したが、メス等の医療関連用品、更には履物等に至る迄、ＩＣタグ１５を貼付け、或は埋込む等することで本発明が実施可能であることは言う迄もなく、安全管理が著しく向上する。
【０１０８】
更に管理システムとして殺菌対象物を保管する保管装置を設けてもよい。該保管装置は第３のＩＣタグ・リーダライタを具備し、該第３のＩＣタグ・リーダライタは殺菌対象物に付けられたＩＣタグに書込まれたデータを所定の日時の間隔で読取りＩＤ情報が同一であるかどうか、洗浄後、或は殺菌後一定時間経過したかどうかを判断し、同一の殺菌対象物が一定時間経過したことを検知すると前記ＩＣタグに未洗浄データを書込む様にする。
【０１０９】
更に、本発明はオゾン以外で殺菌する殺菌方法、例えば洗浄液等を用いて殺菌する場合にも実施可能であることは勿論である。
【図面の簡単な説明】
【０１１０】
【図１】本発明の第１の実施の形態を示す概略ブロック図である。
【図２】第１の実施の形態に於ける内視鏡洗浄装置の作用を示すフローチャートである。
【図３】第１の実施の形態に於ける内視鏡装置本体の作用を示すフローチャートである。
【図４】本発明の第２の実施の形態を示す概略ブロック図である。
【図５】第２の実施の形態に於ける殺菌装置の作用を示すフローチャートである。
【図６】第２の実施の形態に於ける開閉装置の作用を示すフローチャートである。
【図７】第２の実施の形態に於ける開閉装置の作用を示すフローチャートである。
【符号の説明】
【０１１１】
１              内視鏡装置本体
２              内視鏡
３              内視鏡洗浄装置
４              制御部
６              モニタ
７              本体連結部
８              ＩＣタグ・リーダライタ
９              演算部
１３            電源部
１４            内視鏡連結部
１５            ＩＣタグ
１６            オゾン発生器
１７            洗浄槽
１８            制御部
１９            ＩＣタグ・リーダライタ
２１            演算部
２２            記憶部
２５            殺菌装置
２６            開閉装置
２７            白衣
２８            殺菌庫
２９            オゾン発生器
３３            演算部
３５            記憶部
３７            殺菌室
３８            扉
３９            開閉機構部
４１            演算制御部
４２            ＩＣタグ・リーダライタ
４３            表示部
【図１】
2008054732.tif 000003
【図２】
2008054732.tif 000004
【図３】
2008054732.tif 000005
【図４】
2008054732.tif 000006
【図５】
2008054732.tif 000007
【図６】
2008054732.tif 000008
【図７】
2008054732.tif 000009